(57)【要約】【課題】就寝者の首回りや肩を充分に被覆して保温することができるような掛け布を提供することを目的とする。【解決手段】略矩形状をなす掛け布本体１の上辺側に就寝者の首回りに対応した凹部１０を有してなる掛け布１００において、前記凹部１０の縁部１０ａに沿って、就寝者の首回りに接触して就寝者を保温するための保温部材２を設ける。この凹部１０は、幅狭に構成された掛け布本体１の切り込み１０ｂの下方に設け、これにより凹部１０が直線状に開いてしまわないようにする。この凹部１０の縁部１０ａに沿って設けられる保温部材２としては、毛皮、もしくは、タオル地、フリース地などのような比較的毛足の長い素材が用いられ、糸４によって縫い付けられるか、もしくは、面ファスナー３０やホック３１などの着脱部材を介して着脱できるようにする。【選択図】図１
2005205079.tif 000002
【特許請求の範囲】
【請求項１】
略矩形状をなす掛け布本体の上部に、就寝者の首回りに対応した凹部を有してなる掛け布において、
前記凹部の縁部に沿って、就寝者の首回りに接触して就寝者を保温するための保温部材を設けたことを特徴とする掛け布。
【請求項２】
前記凹部が、掛け布本体の上辺部側に設けられた切り込みの下方に設けられるものであり、当該切り込みの開口幅よりも大きく構成されるものである請求項１に記載の掛け布。
【請求項３】
前記保温部材が、掛け布本体よりも毛足の長い素材で構成される請求項１に記載の掛け布。
【請求項４】
前記保温部材が、掛け布本体に対して着脱可能に設けられるものである請求項１に記載の掛け布。
【請求項５】
前記保温部材と掛け布本体の上辺部との間に隙間を設けた請求項１に記載の掛け布。
【発明の詳細な説明】
【技術分野】
【０００１】
本発明は、毛布や布団などのような掛け布に関するものであり、より詳しくは、就寝時に就寝者の首回りや肩を充分に被覆して保温できるようにした掛け布に関するものである。
【背景技術】
【０００２】
毛布や布団などのような掛け布は、通常、縦長の矩形形状に構成されるのが一般的であるが、このような形状のものでは、就寝者の肩が露出してしまうことから、現在では、就寝者の首回りに対応した凹部を設けた掛け布が市販されている。このような掛け布は、就寝者の首を凹部の内側に位置させた状態でその両側の肩掛け部で肩を保温できるようにしたものであり、現在では、このような市販されているものだけでなく、特許文献などにもこのような掛け布やその改良に関するものが種々提案されている。このような特許文献の例を下記に示す。
【０００３】
例えば、特許文献１には、就寝者の肩の冷えを防止すべく、就寝者の首回りに対応する部分に凹部を形成した掛け布が提案されており、寒冷期以外における使用や、首もと部分が汚れた場合に対応すべく、凹部を形成した布部分を長方形状の掛け布本体から取り外しできるようにしたものが開示されている。
【０００４】
また、特許文献２にも、同様に上辺部の中央部分に凹部を形成した掛け布が開示されており、上辺の一部を折り込むことによって凹部を形成するとともに、寒さが厳しくない時期にはその折り込み部分を元に戻して通常の矩形形状として使用できるようにした掛け布が開示されている。
【特許文献１】特開平７−１５５２４７号公報
【特許文献２】特開平１１−７６０２７号公報
【発明の開示】
【発明が解決しようとする課題】
【０００５】
ところが、このような特許文献１や特許文献２に記載されている掛け布の構成だけでは、就寝者の首回りや肩を充分に被覆して保温することができない。すなわち、上述のような掛け布の構成においては、凹部の形成の仕方によっては、就寝者の首回りと凹部との間に隙間が生じしてしまい、また、就寝者の首もとから顎下部分にかけてを被覆することができないため、その部分から冷えを生じさせてしまう。一方、首もとと凹部との隙間を小さくすべく、凹部の開口幅を小さくすることも考えられるが、このように凹部の開口幅を小さくすれば、従来のように凹部が存在していない掛け布と同様に、就寝者の肩を充分に被覆することができない。このため、従来の構成では就寝者の首回りと肩とを同時に保温することができないという問題を生じていた。
【０００６】
そこで、本発明は上記問題を解決すべく、就寝者の首回りや肩を充分に被覆して保温することができるような掛け布を提供することを目的とするものである。
【課題を解決するための手段】
【０００７】
すなわち、本発明の掛け布は、上記課題を解決するために、略矩形状をなす掛け布本体の上部に、就寝者の首回りに対応した凹部を有してなるものにおいて、前記凹部の縁部に沿って、就寝者の首回りに接触して就寝者を保温するための保温部材を設けるように構成する。
【０００８】
このように構成すれば、凹部の縁部に沿って設けられた保温部材が就寝者の首回りに接触して保温することができ、また、凹部の両側に形成された肩掛け部によって、従来と同様に就寝者の肩を被覆して保温することができるようになる。
【０００９】
また、このような凹部を形成する場合、まず掛け布本体の上辺部側に切り込みを設け、その下方側に、当該切り込みの開口幅よりも大きくなるようにする。
【００１０】
このように構成すれば、上辺部側の開口幅が狭く構成されるので、掛け布の上辺部が左右に引っ張られた場合であっても、その凹部の内側縁部が直線状に開いてしまうことがなくなり、保温部材を就寝者の首回りに確実に接触させることができるようになる。
【００１１】
さらに、このような保温部材として、好ましくは、毛皮などのような掛け布本体よりも毛足の長い素材を用いる。
【００１２】
このように比較的毛足の長い素材を用いるようにすれば、毛の部分が就寝者の首回りや顎下部分に接触して、就寝者を確実に保温することができるようになる。
【００１３】
加えて、保温部材を、掛け布本体に対して着脱できるようにする。
【００１４】
このように構成すれば、就寝者の好みに応じた保温部材に取り替えることができ、また、保温部材に汚れが生じた場合には、その保温部材を取り外して洗濯などをすることができるようになる。
【００１５】
また、このように保温部材を設ける場合、保温部材と掛け布本体の上辺部との間に隙間を設けるようにする。
【００１６】
このように構成すれば、保温部材が凹部の上端部まで存在しないため、例えば、肩掛け部分を肩に巻き込んで使用するような場合であっても、就寝者の肩の後ろと敷き布団との間に保温部材が挟まり込んでしまうということがなくなり、就寝者の肩の後ろ側に保温部材が当たって違和感を生じさせるなどということがなくなる。
【発明の効果】
【００１７】
本発明では、略矩形状をなす掛け布本体の上部に、就寝者の首回りに対応した凹部を有してなる掛け布において、前記凹部の縁部に沿って、就寝者の首回りに接触して就寝者を保温するための保温部材を設けるようにしたので、凹部の縁部に沿って設けられた保温部材で就寝者の首回りを保温することができ、また、凹部の両側に形成された肩掛け部によって就寝者の肩を充分に保温することができるようになる。
【発明を実施するための最良の形態】
【００１８】
以下、本発明における第一の実施の形態について図面を参照して説明する。図１は、本実施の形態における掛け布１００の平面図を示したものであり、図２は、図１におけるＡ−Ａ端面図を示したものである。
【００１９】
この実施の形態における掛け布１００は、略矩形状に構成された掛け布本体１の上辺部１１における中央部分に就寝者の首部分を退避するための凹部１０を形成し、この凹部１０の縁部１０ａに沿って保温部材２を設けるようにしたものである。以下、この掛け布１００の具体的構成について詳細に説明する。
【００２０】
まず、掛け布本体１は、毛布などのような比較的薄手の素材であって身体との密着性の高いものが使用される。なお、この掛け布本体１として、布団などのように比較的厚手で身体との密着性の低いものを用いることも考えられるが、布団などのように厚手のものを用いれば、上辺部１１に形成された凹部１０から掛け布１００の中に冷たい空気が入り込んでしまい、却って身体に冷えを生じさせてしまうことになる。更に、布団などのように軽い素材を用いた場合、寝返りをうった時に布団が身体上を大きく転がってしまい、その凹部１０が首回りから外れて掛け布１００の中に冷たい空気が入り込んでしまう。このため、本実施の形態では、掛け布本体１の好ましい態様として毛布を用いるようにしている。但し、本発明との関係において、掛け布１００として布団を除く趣旨ではなく、例えば、比較的薄手のガーゼ状の布団などのように身体との密着性が高いものであれば、好適に使用することができる。
【００２１】
そして、このような掛け布本体１は、例えば、縦長寸法約２４０ｃｍ、横長寸法約１４０ｃｍなどのように比較的長手のものが使用される。このような長手のものが使用されるのは、掛け布本体１を通常の大きさの布団（縦長寸法約２００ｃｍ、横長寸法約１４０ｃｍ）の下に敷いた場合に、その掛け布本体１に形成された凹部１０やその両側の肩掛け部１２を布団から露出させることができ、凹部１０や肩掛け部１２の存在を意義ならしめることができるようにするためである。
【００２２】
この掛け布本体１に設けられる凹部１０は、掛け布本体１の上辺部１１の中央部分に開口幅の小さい切り込み１０ｂを設け、その切り込み１０ｂの下方側に就寝者の首回りの大きさに対応した比較的幅広の円形開口部を設けて構成される。このように切り込み１０ｂの下方側に凹部１０を設けるのは、上辺部１１に直接凹部を設けるようにすると、上辺部１１が左右方向に引っ張られた場合、凹部の内側縁部分が直線状に広がってしまい、保温部材が首回りに接触しなくなってしまうからである。このため、本実施の形態では、上側の開口幅を小さくすべく、上辺部１１側に比較的小さな開口幅を有する切り込み１０ｂを設けるとともに、その下方側に開口幅の大きな凹部１０を設けるようにしている。この凹部１０は、掛け布本体１を作る際に同時に設けられ、もしくは、既に市場に流通している長方形状の掛け布１００の上辺部１１を事後的に切って設けられる。そして、この凹部１０には、その内側に保温部材２が設けられる。
【００２３】
この保温部材２は、就寝者の首回りに接触できるような素材として、掛け布本体１よりも毛足の長い素材が用いられる。この保温部材２の素材としては、例えば、感触が良く、アレルギーを起こさせないようなラビットの毛皮などが好適に用いられる。また、これ以外にもタオル地、フリース地、毛糸、スカーフ、ウールなどのような素材も用いることができる。この保温部材２は、図２に示すように、凹部１０の表面１３ａ側の縁部１０ａに沿って設けられ、かつ、毛部分２ｂが掛け布本体１の表面１３ａ側に多く存在するようにして設けられる。これは、毛部分２ｂが掛け布本体１の裏面１３ｂ側に多く存在すると、掛け布本体１が身体から浮き上がってしまい、その部分から冷たい空気が入り込んでしまうからである。このため、この実施の形態では、表面１３ａ側に毛部分２ｂが多く存在するようにしている。
【００２４】
また、このような保温部材２は、掛け布本体１の上辺部１１との間に隙間が生じるように設けられる。この隙間寸法は、肩掛け部１２を肩の後ろ側に巻き込ませて使用するような場合であっても、その保温部材２が就寝者と敷き布団との間に挟まれないような寸法に設定される。この実施の形態においては、切り込み１０ｂによって隙間を形成するようにしている。
【００２５】
そして、このような保温部材２は、凹部１０の縁部１０ａに沿って皮部分２ａが掛け布本体１の表面１３ａおよび裏面１３ｂに密着するようにして糸４で縫い付けられる。このように糸４で縫い付けるようにするのは、掛け布本体１にしなやかさを持たせるようにするためである。
<第二の実施の形態>
【００２６】
次に、第二の実施の形態における掛け布１００ａについて説明する。第二の実施の形態における掛け布１００ａは、第一の実施の形態における掛け布本体１と保温部材２とを分離し、着脱部材であるマジックテープ（登録商標）もしくはベルクロ（登録商標）と称されるような面ファスナー３０を介して保温部材２を掛け布本体１に取り付けるようにしたものである。この第二の実施の形態の構成について図３および図４を用いて説明する。なお、図３は、第二の実施の形態における掛け布１００ａの分解斜視図を示したものであり、図４は、図３におけるＢ−Ｂ端面図を示したものである。
【００２７】
この実施の形態における掛け布本体１および保温部材２は、第一の実施の形態における掛け布本体１および保温部材２と同様に構成されるため詳細な説明は省略する。なお、図において第一の実施の形態と同じ符号を付したものは、第一の実施の形態における掛け布本体１、保温部材２と同じ構成を有するものとする。
【００２８】
図３および図４において、３０は着脱部材の一態様である面ファスナーであり、掛け布本体１の凹部１０の表面１３ａの縁部１０ａを巻き込むようにして取り付けられるものである。この面ファスナー３０は、布などの比較的柔らかい素材のものが用いられ、一対の面ファスナー３０のうち、リング状の繊維で構成された一方の面ファスナー３０ａを掛け布本体１側に縫い付け、他方のフック状の繊維で構成された面ファスナー３０ｂを毛皮の皮部分２ａに縫い付ける。そして、これらの面ファスナー３０ａ、３０ｂを接合させ、保温部材２を掛け布本体１に着脱できるようにする。
【００２９】
なお、この実施の形態においては、保温部材２を取り付ける場合、掛け布本体１の凹部１０を巻き込むようにして取り付けているが、これに限らず、掛け布本体１の表面１３ａ側のみ、裏面１３ｂのみ、もしくは、表面１３ａと裏面１３ｂの境界部分に取り付けるようにしても良い。
<第三の実施の形態>
【００３０】
次に、本発明における第三の実施の形態について図５を用いて説明する。図５は、掛け布１００ｂにおける凹部１０の中央端面図を示したものであり、保温部材２を取り付ける状態を示したものである。この第三の実施の形態における掛け布１００ｂは、第二の実施の形態において使用される面ファスナー３０の代わりにホック３１を使用するようにしたものである。第二の実施の形態の掛け布１００ａの構成においては、面ファスナー３０を用いているため、面ファスナー３０が存在する部分が固くなってしまい、掛け布本体１にしなやかさを持たせることができない。このため、第三の実施の形態では、面ファスナー３０を用いる代わりにホック３１を用いている。
【００３１】
このホック３１のうち、雌側のホック３１ａは、掛け布本体１側に一定間隔毎に取り付けられ、一方、雄側のホック３１ｂは、保温部材２の裏側に取り付けられる。この際、雌側のホック３１ａは、掛け布本体１の表面１３ａと裏面１３ｂ側とで重なり合わないような位置にずらして設けられ、これにより、掛け布１００ｂに固い突起部分が存在しないようにしている。そして、これらホック３１ａ、３１ｂを嵌め合わせることによって、保温部材２を掛け布本体１の凹部１０に沿って取り付けるようにする。
【００３２】
なお、図５ではホック３１（３１ａ、３１ｂ）を用いて保温部材２を取り付ける場合について説明しているが、これに限らず、ボタン（図示せず）を用いて保温部材２を掛け布本体１に取り付けるようにしても良い。この場合、保温部材２の裏側である皮部分２ｂにボタンを縫いつけるとともに、掛け布本体１に、これに対応したボタンの通し孔を設け、このボタンを通し孔に通すことによって、保温部材２を掛け布本体１に取り付けるようにすると良い。
【００３３】
このように、第三の実施の形態では、ホック３１などを用いて保温部材２を掛け布本体１に取り付けるようにしたので、面ファスナー３０（３０ａ、３０ｂ）を用いて保温部材２を取り付ける場合に比べて掛け布本体１にしなやかさを持たせることができ、より就寝者の首回りを凹部１０に沿わせることができるようになる。
【００３４】
上述のように、第一から第三の実施の形態によれば、略矩形状をなす掛け布本体１の上辺側に就寝者の首回りに対応した凹部１０を有してなる掛け布１００において、前記凹部１０の縁部１０ａに沿って、就寝者の首回りに接触して就寝者を保温するための保温部材２を設けるようにしたので、凹部１０の縁部１０ａに沿って設けられた保温部材２によって就寝者の首回りを保温することができ、また、凹部１０の両側に形成された肩掛け部１２によって、就寝者の肩を保温することができるようになる。
【００３５】
また、このような凹部１０として、掛け布本体１の上辺部１１の中央に開口幅の小さい切り込み１０ｂを設け、その下方側に開口幅の大きな円形開口部を設けるようにしたので、掛け布本体１の上辺部１１が左右に引っ張られた場合であっても、その凹部１０の縁部１０ａが直線状に開いてしまうというようなことがなくなり、確実に保温部材２を就寝者の首回りに接触させることができるようになる。
【００３６】
さらに、このような保温部材２として、例えば、毛皮などのように比較的毛足の長い素材を用いるようにしたので、就寝者の首回りを確実に保温することができるようになる。
【００３７】
加えて、第二の実施の形態や第三の実施の形態では、保温部材２を掛け布本体１に対して着脱できるようにしたので、就寝者の好みに応じた保温部材２に取り替えることができ、また、そのような保温部材２に汚れが生じた場合は、これを取り外して洗濯などをすることができるようになる。
【００３８】
また、第一から第三の実施の形態において保温部材２を設ける場合、保温部材２と掛け布本体１の上辺部１１との間に隙間を設けるようにしたので、例えば、肩掛け部１２を肩に巻き込んで就寝するような場合であっても、肩と敷き布団との間に保温部材２が挟まり込んでしまうということがなくなり、就寝時に肩の裏側に異物が挟まり込んで違和感を感じてしまうということがなくなる。
【００３９】
なお、本発明は上記実施の形態に限定されることなく、種々の態様で実施することができる。
【００４０】
例えば、上記実施の形態では、凹部１０の形状を円形の形状としているが、このような形状に限らず、楕円形、Ｕ字状、Ｖ字状などのような形状であっても良い。
【００４１】
また、上記実施の形態では、面ファスナー３０やホック３１、ボタンなどを用いて保温部材２を着脱できるようにしているが、その他の着脱部材として、例えば、ファスナーなどを用いるようにしても良い。
【００４２】
さらに、上記実施の形態では、保温部材２と凹部１０の上端部１０ａとの間に隙間を設けるようにしているが、凹部１０の形状などによっては、保温部材２を掛け布本体１の上辺部１１まで設けるようにしても良い。
【図面の簡単な説明】
【００４３】
【図１】本発明の第一の実施の形態における掛け布の平面図
【図２】同形態におけるＡ−Ａ端面図
【図３】本発明の第二の実施の形態における掛け布の平面図
【図４】同形態におけるＢ−Ｂ端面図
【図５】本発明の第三の実施の形態における掛け布の中央端面図
【符号の説明】
【００４４】
１・・・掛け布本体
２・・・保温部材
１０・・・凹部
１０ａ・・・凹部の縁部
１０ｂ・・・切り欠き（隙間）
１１・・・上辺部
１２・・・肩掛け部
３０・・・面ファスナー
３１・・・ホック
１００・・・掛け布
【図１】
2005205079.tif 000003
【図２】
2005205079.tif 000004
【図３】
2005205079.tif 000005
【図４】
2005205079.tif 000006
【図５】
2005205079.tif 000007